(57)【要約】      （修正有）【課題】対象ウィンドウをアクティブにしなくても、警報確認や警報停止を行なわせることがでる監視制御システムを提供する。【解決手段】監視を行う事務所に設置された監視端末1と、管理域内にある複数の観測点における気温や降水量、交通量や水位などの観測情報を収集する複数の子局2と、これらのデータを蓄積し、処理するデータ処理装置とからなる監視制御システムにおいて、監視端末を制御する操作手段のジェスチャーとそれに対応する処理を予め登録しておき、上記操作手段の操作軌跡を解析することにより、登録されたイベント処理を行わせるようにする。【選択図】図１
2013238946.tif 000002
【特許請求の範囲】
【請求項１】
監視を行う事務所に設置された監視端末と、管理域内にある複数の観測点における気温や降水量、交通量や水位などの観測情報を収集する複数の子局と、これらのデータを蓄積し、処理するデータ処理装置とからなる監視制御システムにおいて、監視端末を制御する操作手段のジェスチャーとそれに対応する処理を予め登録しておき、上記操作手段の操作軌跡を解析することにより、登録されたイベント処理を行わせるようにした監視制御システム。
【請求項２】
上記イベント処理は、警報の停止、ウィンドウの拡大または縮小、トップ画面の表示、特定画面の表示のいずれかを行なわせるようにしたことを特徴とする請求項１記載の監視制御システム。
【請求項３】
上記操作手段として、マウス、タッチペン、タッチパネルのいずれかを用いたことを特徴とする請求項１または請求項２に記載の監視制御システム。
【発明の詳細な説明】
【技術分野】
【０００１】
この発明は、河川や道路を監視する事務所に配置する端末において、警報が発生した時に警報確認や警報停止をジェスチャー機能により行う監視制御システムに関するものである。
【背景技術】
【０００２】
従来、河川や道路の状況を事務所に配置した端末に送信して表示し、監視する監視制御システムが実用化されている。この監視制御システムに用いられる表示端末として、複数の情報を重ね合わせるとともに必要な情報を最前面に表示するマルチウィンドウ表示装置を使用することが考えられる。
このような従来のマルチウィンドウ表示装置においては、画面に表示されているウィンドウの優先順位を指定した上で、マウスのジェスチャー機能により、ジェスチャーに対応するウィンドウを最前面に表示するように構成し、応答性の良い表示装置としている（例えば、特許文献１）。
【先行技術文献】
【特許文献】
【０００３】
【特許文献１】特開平９−２８２１３２号公報
【発明の概要】
【発明が解決しようとする課題】
【０００４】
しかしながら、従来のマルチウィンドウ表示装置は、マウスジェスチャーにより対応するウィンドウを最前面に表示するという機能のみであり、ウィンドウ内部の各種操作は、その後のマウス操作などにより実行する必要がある。
【０００５】
例えば、道路や河川の監視を行う事務所においては、管理管内にある複数の観測局から気温や降水量、交通量や水位などの観測情報が収集されており、これらの観測情報のデータが閾値を超えた場合に警報音を鳴動させる必要がある。このような場合に、複数のウィンドウを立ち上げた状態でマウスジェスチャー機能を利用しても、対象のウィンドウが最前面に表示されるだけであり、その後に、警報確認ボタンを押下げるなどイベント処理を行なう必要がある。
【０００６】
また、従来の監視端末装置では、専用の画面（ウィンドウ）を常時表示しており、マルチウィンドウを利用することがなく、マウスジェスチャー機能を有効に利用することができないものであった。したがって、ボタン押下のようなイベント処理がマウスジェスチャーで対応できないという問題点があった。
【０００７】
この発明は、以上のような問題点を解決するためになされたもので、マウスジェスチャー機能をウィンドウ操作だけでなく、ボタン押下等のイベント処理をマウスジェスチャーで操作できるように構成したもので、これによって、対象ウィンドウをアクティブにしなくても、警報確認や警報停止が実施できることになり、利用者の操作性を向上させることを目的とする。また、異常が発生していない場合においては、対象のウィンドウを縮小し、必要に応じてウィンドウの拡大をマウスジェスチャーで操作することによって、利用者のユーザビリティを向上させることを目的とする。
【課題を解決するための手段】
【０００８】
この発明に係る監視制御システムは、監視を行う事務所に設置された監視端末と、管理域内にある複数の観測点における気温や降水量、交通量や水位などの観測情報を収集する複数の子局と、これらのデータを蓄積し、処理するデータ処理装置とからなり、監視端末を制御する操作手段のジェスチャーとそれに対応する処理を予め登録しておき、上記操作手段の操作軌跡を解析することにより、登録されたイベント処理を行わせるように構成したものである。
【発明の効果】
【０００９】
この発明によれば、監視端末を制御する操作手段を移動させるのみの簡便な操作で登録されたイベント処理を行わせることが可能となる。
【図面の簡単な説明】
【００１０】
【図１】この発明の実施の形態１である監視制御システムを示す構成図である。
【図２】この発明の実施の形態１におけるジェスチャー及びそれに伴う振る舞いに関する各種定義を示す図である。
【図３】この発明の実施の形態１におけるマウスジェスチャー実行時のフローチャートである。
【図４】この発明の実施の形態１におけるウインドウの拡大、縮小時の動作例を示した図である。
【発明を実施するための形態】
【００１１】
実施の形態１．
以下、本発明を実施の形態１である図面を参照して説明する。
図１は、この発明の実施の形態１である監視制御システムを示す構成図で、図において、監視制御システムは、監視を行う事務所に設置された監視端末１と、管理域内にある複数の観測点における気温や降水量、交通量や水位などの観測情報を収集する複数の子局２と、これらのデータを蓄積し、処理するデータ処理装置３とから構成されており、これらはネットワークで接続されている。
なお、監視端末１は、複数台設置することが可能である。また、監視端末１には、表示画面１ａが設けられ、その一部に警報表示部１ｂが形成されている。
さらに、監視端末１にはマウス１ｃが接続されており、マウス１ｃを移動することによりそれに対応した操作が可能なマウスジェスチャーの操作を行うように構成されている。
【００１２】
次に、このような監視制御システムの動作について説明する。
まず、監視端末１において、図２に示すようにマウス１ｃの動きに対応した振る舞い（操作）を予めマウスジェスチャーの定義として登録しておく。
例えば、警報停止にマウスジェスチャー「/」を割当て、画面拡大縮小に「Ｖ」、
トップ画面遷移に「−」、特定画面遷移に「Ｚ」を割当てておく。
【００１３】
次に、子局２から気温や降水量、交通量や水位などの観測情報のデータがデータ処理装置３に送信され、そのデータがデータ処理装置３で定義している閾値を超えている場合は、データ処理装置３から監視端末１に対してメッセージが送信されることになり、監視端末１における画面１a上の警報ボタン１ｂがフリッカ表示あるいは警報音が鳴動される。
【００１４】
この警報をマウス１Ｃを用いて停止する場合について、図３に示すフローチャートに基づいて説明する。
まず、マウス１Ｃをダウンしてからアップするまでのイベント（操作）を取得し（ステップＳ１０１）、このとき、監視端末１のジェスチャー認識機能が有効となっているか否かを判断する（Ｓ１０２）。ここで、ジェスチャー認識機能が無効（ＮＯ）となっている場合は、処理を終了し、ジェスチャー認識機能が有効（ＹＥＳ）となっている場合は、マウス１ｃの軌跡を座標軸に当て嵌めて解析する（Ｓ１０３）。このマウス１ｃの軌跡を解析した結果と、図２で定義されているジェスチャーの定義「/」が相似している場合（Ｓ１０４）、振る舞い定義の処理、すなわち、警報停止の処理を実行し（Ｓ１０５）、その後、フローを終了する。
【００１５】
なお、ステップＳ１０４において、解析結果が定義されたマウスジェスチャーと相似しない（ＮＯ）場合は、直ちにフローを終了する。
このように構成することによって、マウス１ｃの操作のみで監視制御が可能となり、システムの利便性を向上させることができる。
【００１６】
なお、上記の実施の形態１では、マウスジェスチャーにより警報を停止する場合について説明したが、図２に示すようにオプション機能にウィンドウサイズを指定する機能を持たせることにより、図４に示すようなウィンドウの拡大または縮小をマウスジェスチャーで実行させることが可能となる。
また、このような場合においても、監視端末１で別作業を実施していた作業員は、他のアプリケーションを最小化しなくても、定義されたジェスチャーを実行することにより簡便に警報停止を実行することが可能となる。
【００１７】
さらに、図２の振る舞い定義にトップ画面の遷移先のイベント（操作）を指定することによって、マウスジェスチャーにより予め定義したトップ画面または特定画面に遷移させることが可能となる。
したがって、監視端末１で監視をしている作業員は、マウス１ｃの操作のみの簡便な操作でトップ画面または警報を発生しているような特定画面を表示させることが可能となる。
【００１８】
実施の形態２．
また、上記実施の形態１では、マウス１ｃのジェスチャー機能により警報を停止する場合について述べたが、マウス１ｃの代わりに監視端末を制御する操作手段としてタッチペンまたはタッチパネルを使うことによって、マウスジェスチャー操作と同様の操作が可能となる。しかも、マウス１ｃに比し、より操作性が向上し、直感的に操作することが可能となる利点がある。
【００１９】
なお、本発明は、その発明の範囲内において、各実施の形態を適宜、変形、省略することが可能である。
【符号の説明】
【００２０】
１：監視端末        １ａ：表示画面        １ｂ：警報表示部
１ｃ：マウス          ２:子局                ３:データ処理装置
【図１】
2013238946.tif 000003
【図２】
2013238946.tif 000004
【図３】
2013238946.tif 000005
【図４】
2013238946.tif 000006